(57)【要約】【課題】  魚を手で持つことなく、また針を魚の口の中で１８０度反転させることなく、針を簡単・確実に外すことのできる針外し器を提供する。【課題を解決するための手段】  針外し器１は、針外し棒３及び針外しパイプ２を具える。針外し棒３は、ハリス17及び針15を通すスリット30b付きの孔30dを先端部（30）に有し、針外しパイプ２内で長手方向にスライド可能である。針外しパイプ２は、先端部に針外し棒３の先端部30が頭出し可能な先端口20cを有する。このパイプ先端口20cには、針15のフトコロ部15mの係合する針保持用窪み20dが形成されている。針外し棒３のスリット付き孔30dの先端側の壁には、先端方向に向かって上がる傾斜面30gが形成されている。【選択図】  図５Ｂ
2017093305.tif 000002
【特許請求の範囲】
【請求項１】
ハリス（17）及び針（15）を通すスリット（30b）付きの孔（30d）を先端部（30）に有し、長手方向に相対的にスライド可能な針外し棒（３）と、
該針外し棒（３）を相対的にスライド可能に収容するとともに、先端部に前記針外し棒（３）の先端部（30）が頭出し可能な先端口（20c）を有する針外しパイプ（２）と、
前記針外しパイプ（２）又は前記針外し棒（３）の反先端側の元部に接続された握りハンドル（８）と、
前記針外し棒（３）又は前記針外しパイプ（２）の反先端側の元部に接続されたスライドレバーと、を備え、
前記針外しパイプ（２）の前記先端口（20c）に、針（15）のフトコロ部（15m）の係合する針保持用窪み（20d）が形成されており、
前記針外し棒（３）の前記スリット付き孔（30d）の先端側の壁に、先端方向に向かって上がる傾斜面（30g）が形成されていることを特徴とする針外し器（１）。
【請求項２】
前記針外し棒（３）を前記針外しパイプ（２）に対して元側に相対的にスライドさせると、前記パイプ（２）の前記針保持用窪み（20d）が前記針（15）を魚の口奥方向に押した状態で、前記針（15）の刺さっている魚の口内壁の肉（針刺さり部）（11f）は、前記針外し棒（３）の前記傾斜面（30g）の元エッジ（30h）に当たって元方向に引き上げられ、前記針（15）が前記針刺さり部（11f）に対して相対的に奥上方向に動いて抜けることを特徴とする請求項１記載の針外し器（１）。
【発明の詳細な説明】
【技術分野】
【０００１】
本発明は、釣った魚から釣針を外すのに用いる針外し器に関する。特には、魚を手で持たずに簡単・確実に釣針を外せる針外し器に関する。
【背景技術】
【０００２】
釣針を飲み込んだ魚から針を外す針外し器は、昔から用いられている。そのうち、最もポピュラーなものは、太さ４ｍｍ程度・長さ２０ｃｍ程度の金属棒の端部にＣ字型部（フック部）を形成したもの（ここでは「編み棒型」という）である。なお、魚のサイズによって、異なるサイズの針外し器を用いる。この「編み棒型」の針外し器を用いて針を外す際には、まず釣った魚を手で持って、魚の口から出ているハリスにＣ字型部の切り欠き（スリット）を通し、ハリスに沿ってＣ字型部を魚の口の中に差し込む。そして、針まで達したＣ字型部を針のフトコロ（図５（Ｄ）の符号15m参照）の最深部（同15g）に当て、針外し器を魚の奥方向に押す。すると、針が魚の口内の肉から奥方向に抜けて外れる。
【０００３】
この「編み棒型」の針外し器の改良型としては、Ｃ字型部を形成した側の反対側の端部に、魚の口の入口に近い部分に刺さった針を外しやすいＹ字型部を設けたものがある。また、Ｃ字型部からハリスが抜け出さないよう、切り欠きを閉じるレバー（いわゆるナスカン）を設けたものがある。
【０００４】
「編み棒型」の針外し器の弱点は、片手で魚を握って、もう一方の手で針外し器を操作しなければならない点である。ところが、ゴンズイやハオコゼなどのヒレに毒針を持つ魚や、メゴチやヒイラギなどの体表面にヌメリ質を持つ魚が掛かった場合は、手で魚を握ることができない。その場合は、魚ハサミ（氷ハサミのようなもの）で魚を挟んで針外しせねばならず、煩雑さが増す。
【０００５】
魚を手で持たなくても針を外せる針外し器として、針を魚の口の中で１８０度反転させる（入り口方向に向いた針先を奥方向に向かせる）機構を有するもの（ここでは「針反転型」という）がある。この「針反転型」の針外し器は、針反転機構を組み込むために針外し器の先端部が太くなる。そのため、口の大きい魚でないと、針外し器先端部を魚の口の中まで差し込むことができないという欠点がある。結局、針を飲み込んだ魚には使いづらく、「編み棒型」の針外し器を併用する必要がある。
【０００６】
「針反転型」の針外し器の一つとして下記特許文献１のものがある。この特許文献１の針外し器は、先端をある程度細くして、上記欠点を克服しようとしたものである。しかしながら、やはり針を魚の口の中で１８０度反転させることに変わりはない（特許文献１の請求項１下から２行目・段落0020・図５参照）。そのため、ハタやメバル、カサゴなど、口の中の空間が広い魚でしか、効果を発揮できないという限界がある。
【０００７】
【特許文献１】特許第4122461号
【発明の開示】
【発明が解決しようとする課題】
【０００８】
本発明は、魚を手で持つことなく、また針を魚の口の中で１８０度反転させることなく、針を簡単・確実に外すことのできる針外し器を提供することを目的とする。
【課題を解決するための手段】
【０００９】
本発明の針外し器（１）は、  ハリス（17）及び針（15）を通すスリット（30b）付きの孔（30d）を先端部（30）に有し、長手方向に相対的にスライド可能な針外し棒（３）と、  該針外し棒（３）を相対的にスライド可能に収容するとともに、先端部に前記針外し棒（３）の先端部（30）が頭出し可能な先端口（20c）を有する針外しパイプ（２）と、  前記針外しパイプ（２）又は前記針外し棒（３）の反先端側の元部に接続された握りハンドル（８）と、  前記針外し棒（３）又は前記針外しパイプ（２）の反先端側の元部に接続されたスライドレバーと、を備え、  前記針外しパイプ（２）の前記先端口（20c）に、針（15）のフトコロ部（15m）の係合する針保持用窪み（20d）が形成されており、
前記針外し棒（３）の前記スリット付き孔（30d）の先端側の壁に、先端方向に向かって上がる傾斜面（30g）が形成されていることを特徴とする。
なお、「先端方向に向かって上がる傾斜面（30g）」における方向は、図２（Ｃ）に示されている方向である。
【００１０】
本発明においては、前記針外し棒（３）を前記針外しパイプ（２）に対して元側に相対的にスライドさせると、前記パイプ（２）の前記針保持用窪み（20d）が前記針（15）を魚の口奥方向に押した状態で、前記針（15）の刺さっている魚の口内壁の肉（針刺さり部）（11f）は、前記針外し棒（３）の前記傾斜面（30g）の元エッジ（30h）に当たって元方向に引き上げられ、前記針（15）が前記針刺さり部（11f）に対して相対的に奥上方向に動いて抜けることが好ましい。
本発明においては、針外し棒（３）を針外しパイプ（２）に対して元側に相対的にスライドさせればよいのであるから、針外し棒（３）を針外しパイプ（２）に対して元側に引き込んでもよいし、針外し棒（３）に対して針外しパイプ（２）を先側に押してもよい。
【発明の効果】
【００１１】
本発明の針外し器を用いれば、針にかかった魚をハリスに吊下げた状態で、針外し器を魚の口奥に差し込んで作動させることにより、針に対して相対的に魚を引き上げて（手元に引き寄せて）針を外せる。そのため、釣った魚を手で持つことなく魚を針から外す（落とす）ことができる。したがって、ゴンズイやハオコゼなどのヒレに毒針を持つ魚や、メゴチやヒイラギなどの体表面にヌメリ質を持つ魚が掛かった場合にも、安全かつ手を汚さずに簡単に針外しできる。また針を魚の口の中で１８０度反転させることなく、針を外すことができるので、比較的小型の魚が針を口奥に飲み込んだような場合にも使用できる。
【図面の簡単な説明】
【００１２】
【図１】本発明の実施形態に係る針外し器１の全体構成を示す斜視図である。この図は、針外し器１のスリット30bにハリス17に通そうとしている状態である。
【図２】図１の針外し器１に用いられている針外し棒３の構造を示す図であって、（Ａ）は全体の斜視図であり、（Ｂ）は棒先端部30の詳細を示す平面図であり、（Ｃ）は棒先端部30の一部断面側面図である。
【図３】図１の針外し器１のパイプ２の構造を示す図であって、（Ａ）は全体の斜視図であり、（Ｂ）はパイプ先端部20の詳細を示す斜視図である。
【図４】図１の針外し器１の先端部10を、ハリス17に沿って魚11の口11bの奥に（刺さった針15近くまで）差し込んでいる状態を示す図である。
【図５】図１の針外し器１を用いて、釣針15を魚11から外す作用を示す側面断面図である。（Ａ）は、パイプ先端部20が針15のフトコロ15mまで差し込まれた状態を示す。（Ｂ）は、針フトコロ中部15kに、パイプ先端部20の針保持用凹部20dの底20d´が当たった状態で、針外し棒３を元方向（魚口11bの入り口の方向）に引き込み始めて、針先15bが抜け始めた状態を示す。（Ｃ）は、さらに針外し棒３が元方向に引かれて、棒先端部30がパイプ先端部20の内側に入り込んでいって、針先15bが抜け終わりつつある状態を示す。（Ｄ）は、針15が魚11の口内壁の刺さり部11fから抜けて、針15から外れた魚11が下方に自重で落下する直前の状態を示す。
【符号の説明】
【００１３】
Ｈ;手、HL;左手、HR;右手、F1;親指、F2；人差し指、F3;中指
１；針外し器、10；先
２；針外しパイプ、20；パイプ先端部、20c；先端口
20d；針保持凹部、20d´；針保持凹部底、20g；針先逃げ切込み、23；パイプ先半部、
24・24´；スライド溝、25；パイプ中部、28；パイプ元部、29；パイプ元端、
３；針外し棒、30；棒先端部、30b；スリット、30c；棒最先端、30d；孔、
30f；針先収容部、30g；傾斜面、30h；斜面元エッジ、30k；孔上元端部、
30x；先側の部分、30y；下面、30z；上面
35；棒中部、36；ピン孔、38；棒元部、
５；スライドレバー、5b・5g；指掛け、5d；棒接続部、７；押しバネ
８；握りハンドル、8b；握り、8d；パイプ接続部
11；魚、11b；魚口、11f；針刺さり部
15；針、15b；針先、15d；肩部、15g；最深部、15k；フトコロ中部、15m；フトコロ
17；ハリス
【発明を実施するための形態】
【００１４】
以下、本発明の実施の形態について、図面を参照しながら詳細に説明する。
図１は、本発明の実施形態に係る針外し器１の全体構成を示す斜視図である。図１に示す方向の意味は次のとおりである。「元」は針外し器１を手Ｈで握る部分の側であり、「先」はその反対方向であって、魚口11bに針外し器１の先端を差し込む場合（図４参照）の口奥方向である。「上」及び「下」は、ハリス17が重力方向上下に垂れた状態で、針外し棒３の先端部30のハリス通しスリット30bにハリス17を通す操作をするときにおける重力方向上方向あるいは下方向を示す（図４・図５では「上」及び「下」の意味が異なる）。「前」は、針外し器１を右手で持ち、ハリス通しスリット30bを手前方向を向けている人から見た手前側であり、「後」はその反対側である。
【００１５】
この針外し器１は、以下の主要部材を組み合わせたものである。
針外し棒３；ハリス17や針15を通すスリット付きの孔30dを先端部30に有し、長手方向にスライド可能である。
針外しパイプ２；針外し棒３をスライド可能に収容するとともに、先端部に針外し棒３の先端部30が頭出し可能な先端口20c（図３参照）を有する。
握りハンドル８；針外しパイプ２の反先端側の元部に接続され、釣り人が手Ｈで握る部分である。なお、図１は、右手で針外し器１を持っている状態を示す。
スライドレバー５；針外し棒３の反先端側の元部に接続されており、釣り人が指Ｆで操作して、針外し棒３を引くレバーである。
以下、各部材の詳細構成を説明する。
【００１６】
針外し棒３
図２は、図１の針外し器１の針外し棒３の構造を示す図であって、（Ａ）は全体の斜視図であり、（Ｂ）は棒先端部30の詳細を示す平面図であり、（Ｃ）は棒先端部30の一部断面側面図である。図２における各方向の意味は図１と同じである。
【００１７】
針外し棒３は、全体として棒状の部材である。断面形状は、棒先端部30を除いて、円・楕円・多角形などである。材質は、プラスチックあるいは金属・セラミックなど、成形性とある程度の強度・耐食性を有するものを用いることができる。
【００１８】
針外し棒３は、元側から先側に向かって、棒元部38・棒中部35・棒先端部30からなる。棒元部38及び棒中部35は、図１に示すように、パイプ２内に差し込まれた形で収容されている。棒元部38と棒中部35の間くらいの位置には、棒３を径方向に貫通するピン孔36が開けられている。このピン孔36には、図１に示すスライドレバー５と針外し棒３とを固定するセットピン６が差し込まれている。これにより、スライドレバー５を元先方向に動かすと、針外し棒３がパイプ２内を同方向に移動する（移動範囲は後述するパイプ２のスライド溝24長さによって規定される）。棒元部38の元側端には押しバネ７が当たっており、針外し棒３を先側に付勢している。
【００１９】
針外し棒３の棒先端部30には、ハリス17や針15を通す（図１・図４参照）スリット30b付きの孔30dが形成されている。孔30dは、棒先端部30を図２の上下方向に貫通している。孔30dは、図２（Ｂ）に示す上から見た状態では元先方向に長い長孔である。孔30dの先側の壁面は、先に向かって上・元に向かって下に傾斜した傾斜面30gとなっている。この傾斜面30gの針外し棒３長手方向に対する角度（図のθ）は、この例では３０度である（２５度〜４０度が妥当と考えられる）。傾斜面30gの元端は斜面元エッジ30hとなっている。なお、孔30dは、従来より使用されているＣ字型やＹ字型であってもよいが、上記のような傾斜面は不可欠である。
【００２０】
孔30dの元側の壁面は、上部が比較的先側に突出した孔上元端部30kとなっており、その下方は元側にえぐれた針先収容部30f（図５（Ａ）参照）となっている。ハリス通しスリット30bは、孔30dの孔上元端部30kのやや先側と、上記斜面元エッジ30hのやや元側において、前側に口を開くように設けられている。
【００２１】
棒先端部30の孔30dより先側の部分30xは、下面30yが略フラットで、上面30zが下方にカーブを描いて尖って棒最先端30cに至るような形態（新幹線車両における運転席の先の部分のような形態）である。このような形態とすることにより、孔30dより先側の部分30xの肉厚・強度を確保しつつ、棒最先端30cをできるだけ尖らせて魚の口内に差込み易くしている。また、ハリス通しスリット30bと棒最先端30cとができるだけ接近させて、スリット30bにハリス17を通しやすくしている。
【００２２】
針外しパイプ２
針外しパイプ２は、針外し棒３をスライド可能に収容するとともに、該針外し棒先端部30が頭出し可能な先端口20cを有する。
図３は、図１の針外し器１のパイプ２の構造を示す図であって、（Ａ）は全体の斜視図であり、（Ｂ）はパイプ先端部20の詳細を示す斜視図である。図３における各方向の意味は図１や図２と同じである。
【００２３】
針外しパイプ２は、全体として均一な断面形状（円・楕円・多角形など）のパイプである。材質は、一般的にはステンレス鋼であるが、耐食性と成形性、ある程度の強度を有するその他の材料を用いることができる。
【００２４】
針外しパイプ２は、元側から先側に向かって、パイプ元端29・パイプ元部28・パイプ中部25・パイプ先半部23・パイプ先端部20からなる。パイプ元端29・パイプ元部28は、握りハンドル８に差し込まれて固定されている。パイプ元部28には、前述の針外し棒３を先側に付勢する押しバネ７が収容されている。パイプ中部25の外面は、スライドレバー５が摺動する。また、パイプ中部25には、前述の針外し棒３をスライドレバー５に連結するセットピン６が貫通するスライド溝24・24´が、先元方向に延びるように形成されている。このスライド溝24・24´の長さによって、スライドレバー５及び針外し棒３のスライド範囲が規定される。パイプ先半部23は、スライドレバー５の先側に延びている。
【００２５】
パイプ先端部20には、先端口20cが開口している。このパイプ先端口20cの上側には、針保持凹部20dが、先端口20cの上縁が元側に窪むような形態で、形成されている。針保持凹部20dの底20d´は、図５（Ａ）〜（Ｄ）に示すように、針外し時に、釣針15のフトコロ15mに当たって、針15を先側に押す部位となる。
【００２６】
一方、先端口20cの下側には、針先逃げ切込み20gが、先端口20cの下縁が元側に深くえぐり込まれるような形態で、形成されている。この針先逃げ切込み20gは、針外し時に、図５（Ａ）や同（Ｂ）のような段階で、針先15bとパイプ先端口20cとが干渉しないようにするためのものである。
【００２７】
握りハンドル８は、図１に示すように、針外しパイプ２の元部28に接続されている。握りハンドル８は、上下方向中央部において少し先側に盛り上がったパイプ接続部8dと、同部8dから、上下に張り出す握り8bを有する。
【００２８】
スライドレバー５は、同じく図１に示すように、針外し棒３の元部38に接続されている。スライドレバー５は、上下方向中央部において先側に延びる棒接続部5dと、同部5dから、上下に張り出す指掛け5b・5gを有する。
【００２９】
次に、図１、図４及び図５を参照しつつ、この針外し器１を用いた針外し操作を説明する。
まず、図１においては、魚11が針15にかかってハリス17が重力方向に垂れた状態で、ハリス17を、例えば左手HLの親指F1と人差し指F2でつまんでいる。そして、針外し器１を右手HRで持ち、ハリス通しスリット30bにハリス17を通した状態である。このとき、右手HRの親指F1で握りハンドル８の上握り8bを押さえ、右手HRの人差し指F2をスライドレバー５の上指掛け5bに掛け、中指F3をスライドレバー５の下指掛け5gに掛けている。なお、手Ｈの左右や指の説明は一例の説明であり、左利きの人は左手で針外し器１を持つであろう。
【００３０】
ハリス17をハリス通しスリット30bに通したら、図４に示すように、針外し器１の先10（棒先端部30及びパイプ先端部20）を下に向けて、ハリス17に沿って魚11の口11bの奥に向けて、刺さった針15の近くまで差し込む。この図４の針外し動作状態においては（図５も同じ）、針外し器１の元先方向と、重力に沿う上下方向とが一致している（図１〜３の上下方向とは異なっている）。
【００３１】
さらに針外し器１の先10を差し込むと、図５（Ａ）に示すように、針外し棒３の先端孔30dに針15が入って、それ以上差し込めなくなる。この、ハリス17に沿って針外し器１の先10を魚11の口11bの奥に差込み、魚11が飲み込んだ釣針15に針外し器１の先10を掛ける動作は、従来の編み棒型や特許文献１の針外し器と同じである。
【００３２】
次に、図５を参照しつつ、本実施形態の針外し器１における特徴的な針外し操作を説明する。図５は、針外し器１を用いて、釣針15を魚11から外す作用を示す側面断面図である。図５（Ａ）は、針外し器１の先を魚口11bの中に差し込んで、針外し器１のパイプ先端部20が針15のフトコロ15mに当たった状態である。
【００３３】
図５（Ａ）においては、パイプ先端部20の針保持凹部20dに針15のフトコロ15mが入り、フトコロ中部15kが針保持凹部底20d´に当たっている。針先15bは、魚口11bの奥の口内壁の肉（針刺さり部11f）に刺さっており、同針刺さり部11fは、針外し棒先端部30の孔30d内（針先収容部30fのあたり）に引き込まれる形になっている。そして、棒先端部30の傾斜面30gの斜面元エッジ30hは、針刺さり部11f（魚の口内壁の肉）の下側に当たっている。
【００３４】
このときは、針外し棒３はまだ針外しパイプ２内に引き込みは始まっておらず、針外し棒３の孔上元端部30kと、針保持凹部底20d´とは、ほぼ同じ元先方向位置（高さ）にある。ここから、図４のスライドレバー５をハンドル８側に引き寄せて、針外し棒３を元側（上）に引き上げる（パイプ２内に引き込む）。
【００３５】
図５（Ｂ）は、針フトコロ中部15kに、パイプ先端部20の針保持用凹部底20d´が当たった状態で、針外し棒３を元方向（魚口11bの入り口の方向）に少し（図のＬｂだけ）引き込んで、針先15bが魚口内壁の刺さり部11fから抜け始めた状態である。このとき、針外し棒３の斜面元エッジ30hは、魚口内壁の針刺さり部11fを上に持ち上げる。一方、針15はパイプ２の針保持用凹部底20d´に押えられて動けない。したがって、針先15bが針刺さり部11f（魚）から抜けて行くことになる。そして、針15は抜けるときに、その彎曲外側の肩部15dが、針外し棒３の傾斜面30gに沿って斜め上に持ち上げられていくことになる。
【００３６】
図５（Ｃ）は、さらに針外し棒３が元方向（上）に引かれて、棒先端部30がパイプ先端部20の内側に図のＬｃだけ入り込んでいる。そして、針先15bが抜け終わりつつある状態である。針15の肩部15dは、針外し棒３の傾斜面30gに沿って斜め上に持ち上げられている。そして、針15のフトコロ15mのさらに奥15kが、パイプ２の針保持用凹部底20d´に当たるよう、針15の姿勢・位置が変わってくる。
【００３７】
図（Ｄ）は、さらに針外し棒３が元方向（上）に引かれて、棒先端部30がパイプ先端部20の内側に図のＬｄだけ入り込んでいる。そして、針15が魚11の口内壁の刺さり部11fから抜けて、針15から外れた魚11が下方に自重で落下可能な状態を示す。すなわち、針15のフトコロ15mの最深部15gがパイプ２の針保持用凹部底20d´に当たっている。針15は傾斜面30gのほぼ一番上まで上がっている。
【００３８】
この後、魚11は針15・ハリス17に支えられなくなって自重で落ちる。なお、魚口内壁の刺さり部11fが少々挟まることもあるが、挟まり部は魚の自重で外れる。この針外しを、クーラーボックスの上で行えば、魚に一切手を触れずに、針外し・魚回収できる。なお、魚自体を引き寄せにくい大型魚については、従来の「編み棒型」のように、魚を手で持って、針外し器を魚の口奥に押すことにより、針外しすることもできる。
【図１】
2017093305.tif 000003
【図２】
2017093305.tif 000004
【図３】
2017093305.tif 000005
【図４】
2017093305.tif 000006
【図５Ａ】
2017093305.tif 000007
【図５Ｂ】
2017093305.tif 000008